(57)【要約】【課題】低消費電力化が可能な端末、通信システム、方法及びプログラムを提供すること【解決手段】本発明に係る端末１００は、通信速度の異なる複数の無線通信手段１１０ａ、１１０ｂ及び１１０ｃを含む通信部１１０と、通信で使用するアプリケーションに基づいて複数の無線通信手段１１０ａ、１１０ｂ及び１１０ｃの中から所望の無線通信手段を選択して通信を行う通信機器連動アプリケーション部１０１と、を備える。【選択図】図１
2018042111.tif 000002
【特許請求の範囲】
【請求項１】
通信速度の異なる複数の無線通信手段を含む通信部と、
通信で使用するアプリケーションに基づいて前記複数の無線通信手段の中から所望の無線通信手段を選択して前記通信を行う通信機器連動アプリケーション部と、
を備えた端末。
【請求項２】
前記通信機器連動アプリケーション部は、前記アプリケーションを動作させるために必要な通信速度に基づいて前記所望の無線通信手段を選択する、
請求項１に記載の端末。
【請求項３】
前記通信機器連動アプリケーション部は、前記必要な通信速度が予め決められた下限閾値よりも低い場合、前記複数の無線通信手段の中から低速通信に対応する無線通信手段を前記所望の無線通信手段として選択する、
請求項２に記載の端末。
【請求項４】
前記通信機器連動アプリケーション部は、前記必要な通信速度が予め決められた上限閾値よりも高い場合、前記複数の無線通信手段の中から高速通信に対応する無線通信手段を前記所望の無線通信手段として選択する、
請求項２又は３に記載の端末。
【請求項５】
前記通信機器連動アプリケーション部は、前記所望の無線通信手段と同一の無線通信手段を前記通信の相手方に対して設定する、
請求項１〜４のいずれか１つに記載の端末。
【請求項６】
前記通信機器連動アプリケーション部は、
前記アプリケーションの動作状態を監視し、
前記動作状態が休止状態の場合、前記複数の無線通信手段の中から最も通信速度の遅い無線通信手段を前記所望の無線通信手段として選択する、
請求項１〜５のいずれか１つに記載の端末。
【請求項７】
前記通信機器連動アプリケーション部は、前記動作状態が起動状態の場合、前記複数の無線通信手段の中から前記起動状態よりも１つ前の起動状態において設定された無線通信手段を前記所望の無線通信手段として選択する、
請求項６に記載の端末。
【請求項８】
端末と、前記端末と通信を行う通信機器とを備えた通信システムであって、
前記端末は、前記通信で使用するアプリケーションに基づいて前記端末が保有する通信速度の異なる複数の無線通信手段の中から所望の無線通信手段を選択し、
前記通信機器は、前記所望の無線通信手段を通知された場合、前記通信機器が保有する通信速度の異なる複数の無線通信手段の中から前記所望の無線通信手段と同一の無線通信手段を選択する、
通信システム。
【請求項９】
通信で使用するアプリケーションに基づいて、通信速度の異なる複数の無線通信手段の中から所望の無線通信手段を選択するステップを備えた方法。
【請求項１０】
通信で使用するアプリケーションに基づいて、通信速度の異なる複数の無線通信手段の中から所望の無線通信手段を選択するステップをコンピュータに実行させるプログラム。
【発明の詳細な説明】
【技術分野】
【０００１】
本発明は、端末、通信システム、方法及びプログラムに関するものであり、特に、低消費電力化が可能な端末、通信システム、方法及びプログラムに関する。
【背景技術】
【０００２】
スマートフォンやタブレット端末などの携帯型の端末が普及している。これらの端末がインターネットに接続するためには、例えば、モバイルルータなどの携帯型中継機（以下、通信機器と呼ぶ）が用いられる。ユーザは、端末を使用して端末と通信機器との間を無線ＬＡＮ(Local Area Network)やＢｌｕｅｔｏｏｔｈ（登録商標）などの通信手段で接続して端末をインターネットに接続する。また、ユーザは、端末を使用してメールや、ＳＮＳ(Social Networking Service）、音楽サイトからの音楽のダウンロード、動画サイトでの動画の視聴などのさまざまサービスを受けることができる。通信手段の規格には、ＩＥＥＥ  ８０２．１１ａｃや、４Ｇ  ＬＴＥ(Long Term Evolution)などの高速な無線通信が可能な規格があり、それらを使用することにより、屋外でも動画視聴などの高速通信がストレスなく行える。また、ＩＥＥＥ  ８０２．１１ａｃや４Ｇ  ＬＴＥにおいては、使用するアンテナの本数を複数本に増やしてＭＩＭＯ(Muti Input Multi Output)を行うことにより通信速度をさらに向上させることができる。しかしながら、一般的には、通信速度を向上させると消費電力も増加してしまう。
【０００３】
例えば、通信機器のＬＡＮ側通信手段としてＩＥＥＥ  ８０２．１１ａｃを使用し、端末と通信機器との間を４ｘ４ＭＩＭＯで接続する。ここで、ユーザの端末での用途がメールのやりとりやＳＮＳでのコミュニケーションなどの高速通信を必要としないものである場合、ＩＥＥＥ  ８０２．１１ａｃの４ｘ４ＭＩＭＯを使用した接続は、通信速度的にオーバースペックであり、端末と通信機器の消費電力の無駄である。このような場合には、端末と通信機器の通信手段の設定を変更して、通信機器のＬＡＮ側通信手段をＢｌｕｅｔｏｏｔｈ（登録商標）などの低速通信であり低消費電力である通信手段とし、ＷＡＮ側通信手段もＷｉＭＡＸや３Ｇなどの低速通信であり低消費電力な通信手段とすることにより、通信速度と消費電力を適切なものにすることができる。しかしながら、端末の用途に応じて手動で通信手段の設定を変更することは、ユーザにとって煩わしい。また、メールのやりとりや動画の視聴など端末での用途ごとにどの程度の通信速度を必要とするかはユーザにとって不明である。従って、通信手段が複数あった場合、最適な通信速度の通信手段を選択し消費電力を削減することは、ユーザにとって難しいという問題がある。
【０００４】
通信機器において消費電力の増加を防止する技術は種々提案されている。その一つが特許文献１に開示されている。特許文献１には、無線通信回線に接続しているときにリンク状態監視部からリンクアップしたことを通知された場合にＷＡＮ側回線を有線ＬＡＮ回線に切り替え、有線ＬＡＮ回線に接続しているときにリンク状態監視部からリンクダウンしたことを通知された場合に端末接続状態監視部から無線ＬＡＮ端末の接続の有無の通知を受け、無線ＬＡＮ端末が接続されていればＷＡＮ側回線を無線通信回線に切り替え、無線ＬＡＮ端末が接続されていなければＷＡＮ側の無線通信回線の接続部を休止させる省電力動作に設定する無線中継装置が開示されている。しかしながら、特許文献１には、通信速度が最適となるような通信手段の選択については開示されていない。
【０００５】
特許文献２には、外部のネットワークに接続して通信を行う第１の通信インタフェース部を複数備える第１の通信部と、無線端末に接続して通信を行う第２の通信インタフェース部を備える第２の通信部と、前記複数の第１の通信インタフェース部の中から１つの第１の通信インタフェース部を選択するインタフェース選択部と、前記第１の通信部と前記第２の通信部とに接続され、選択された前記第１の通信インタフェース部と前記第２の通信インタフェース部との間の通信データの中継を行う中継機能部と、を具備する無線中継装置が開示されている。そして、前記インタフェース選択部は、通信可能な圏内状態の前記複数の第１の通信インタフェース部から送信電力の最も少ない通信インタフェース部から優先して選択することが開示されている。しかしながら、特許文献２には、通信速度が最適となるような通信手段の選択については開示されていない。
【先行技術文献】
【特許文献】
【０００６】
【特許文献１】特開２０１２−１０２８１号公報
【特許文献２】国際公開第２０１０／００４７８８号
【発明の概要】
【発明が解決しようとする課題】
【０００７】
上述のように、端末と通信機器とが通信する場合、最適な通信速度の通信手段を選択することは難しいという問題がある。
【０００８】
本発明は、このような問題点を解決するためになされたものであり、通信速度が最適な通信手段を選択し、低消費電力化が可能な端末、通信システム、方法及びプログラムを提供することを目的とする。
【課題を解決するための手段】
【０００９】
本発明に係る端末は、通信速度の異なる複数の無線通信手段を含む通信部と、通信で使用するアプリケーションに基づいて前記複数の無線通信手段の中から所望の無線通信手段を選択して前記通信を行う通信機器連動アプリケーション部と、を備える。
【００１０】
本発明に係る通信システムは、端末と、前記端末と通信を行う通信機器とを備えた通信システムである。前記端末は、前記通信で使用するアプリケーションに基づいて前記端末が保有する通信速度の異なる複数の無線通信手段の中から所望の無線通信手段を選択する。前記通信機器は、前記所望の無線通信手段を通知された場合、前記通信機器が保有する通信速度の異なる複数の無線通信手段の中から前記所望の無線通信手段と同一の無線通信手段を選択する。
【００１１】
本発明に係る方法は、通信で使用するアプリケーションに基づいて、通信速度の異なる複数の無線通信手段の中から所望の無線通信手段を選択するステップを備える。
【００１２】
本発明に係るプログラムは、通信で使用するアプリケーションに基づいて、通信速度の異なる複数の無線通信手段の中から所望の無線通信手段を選択するステップをコンピュータに実行させる。
【発明の効果】
【００１３】
本発明によれば、低消費電力化が可能な端末、通信システム、方法及びプログラムを提供することができる。
【図面の簡単な説明】
【００１４】
【図１】実施の形態１に係る端末と通信機器を例示するブロック図である。
【図２】実施の形態１に係る端末と通信機器を例示するブロック図である。
【図３】実施の形態２に係る端末と通信機器を例示するブロック図である。
【図４】実施の形態２に係る端末と通信機器との間のシーケンス図である。
【図５】実施の形態２に係る端末と通信機器との間のシーケンス図である。
【図６】実施の形態２に係る端末と通信機器との間のシーケンス図である。
【発明を実施するための形態】
【００１５】
以下、図面を参照して本発明の実施の形態について説明する。各図面において、同一又は対応する要素には同一の符号が付されており、説明の明確化のため、必要に応じて重複説明を省略する。
【００１６】
［実施の形態１］
実施の形態１に係る端末の構成について説明する。
図１は、実施の形態１に係る端末と通信機器を例示するブロック図である。
【００１７】
図１に示すように、端末１００は、通信部１１０と通信機器連動アプリケーション部１０１とを備える。通信部１１０は、通信速度の異なる複数の無線通信手段を含む。通信速度の異なる複数の無線通信手段とは、例えば、第一無線通信手段１１０ａ、第二無線通信手段１１０ｂ及び第三無線通信手段１１０ｃである。通信機器連動アプリケーション部１０１は、通信で使用するアプリケーションに基づいて複数の無線通信手段の中から所望の無線通信手段を選択して通信を行う。
【００１８】
また、通信機器連動アプリケーション部１０１は、所望の無線通信手段と同一の無線通信手段を通信の相手方である通信機器２００に対して設定する。
【００１９】
実施の形態１に係る端末と通信機器とを有する通信システムについて説明する。
図２は、実施の形態１に係る端末と通信機器を例示するブロック図である。
【００２０】
図２に示すように、実施の形態１に係る通信システムは、端末１００と、端末１００と通信を行う通信機器２００と、を備える。
【００２１】
端末１００は、通信で使用するアプリケーションに基づいて端末１００が保有する通信速度の異なる複数の無線通信手段の中から所望の無線通信手段を選択する。また、端末１００は、所望の無線通信手段を通信機器２００に通知する。
【００２２】
一方、通信機器２００は、所望の無線通信手段を通知された場合、通信機器２００が保有する通信速度の異なる複数の無線通信手段の中から所望の無線通信手段と同一の無線通信手段を選択する。
【００２３】
実施の形態１に係る端末と通信機器の構成の詳細について説明する。
図２に示す端末１００は、通信機器連動アプリケーション部１０１と通信部１１０とを備える。通信機器連動アプリケーション部１０１は、アプリケーションの使用状態を監視して通信機器２００と連動する。また、第一無線通信手段１１０ａ、第二無線通信手段１１０ｂ及び第三無線通信手段１１０ｃのそれぞれの通信速度及び消費電力は異なる。なお、アプリケーションをアプリと呼ぶこともある。
【００２４】
この例では、第一無線通信手段１１０ａは消費電力が低く通信速度が遅い無線通信手段であり、第二無線通信手段１１０ｂは、消費電力が中程度で通信速度も中程度の無線通信手段であり、第三無線通信手段１１０ｃは、消費電力が高く通信速度が速い無線通信手段である。
【００２５】
一方、端末１００の通信の相手方である通信機器２００は、通信機器連動システム部２０１とＬＡＮ側通信部２１０とＷＡＮ側通信部２２０とを備える。
【００２６】
ＬＡＮ側通信部２１０は、ＬＡＮ側用の無線通信手段として、ＬＡＮ側第一無線通信手段２１０ａとＬＡＮ側第二無線通信手段２１０ｂとＬＡＮ側第三無線通信手段２１０ｃのような通信速度の異なる複数のＬＡＮ側無線通信手段を有する。ＬＡＮ側第一無線通信手段２１０ａは、消費電力が低く通信速度は遅い。ＬＡＮ側第二無線通信手段２１０ｂは、消費電力が中程度で通信速度も中程度のである。ＬＡＮ側第三無線通信手段２１０ｃは、消費電力が高く通信速度も速い。
【００２７】
ＬＡＮ側第二無線通信手段２１０ｂの消費電力は、例えば、ＬＡＮ側第一無線通信手段２１０ａの消費電力よりも高く、ＬＡＮ側第三無線通信手段２１０ｃの消費電力よりも低い。ＬＡＮ側第二無線通信手段２１０ｂの通信速度は、例えば、ＬＡＮ側第一無線通信手段２１０ａの通信速度よりも速く、ＬＡＮ側第三無線通信手段２１０ｃの通信速度よりも遅い。
【００２８】
ＷＡＮ側通信部２２０は、ＷＡＮ側用の通信手段として、ＷＡＮ側第一無線通信手段２２０ａと、ＷＡＮ側第二無線通信手段２２０ｂと、ＷＡＮ側第三無線通信手段２２０ｃのような通信速度の異なる複数のＷＡＮ側無線通信手段を有する。ＷＡＮ側第一無線通信手段２２０ａは、消費電力が低く通信速度は遅い。ＷＡＮ側第二無線通信手段２２０ｂは、消費電力が中程度で通信速度も中程度のである。ＷＡＮ側第三無線通信手段２２０ｃは、消費電力が高く通信速度も速い。
【００２９】
端末１００で設定された無線通信手段を通知された場合、通信機器連動システム部２０１は、ＬＡＮ側用の複数のＬＡＮ側無線通信手段の中から通知された無線通信手段と同一の無線通信手段を選択する。また、通信機器連動システム部２０１は、ＷＡＮ側用の複数のＷＡＮ側無線通信手段の中から通知された無線通信手段に対応する無線通信手段を選択する。このようにして、通信機器連動システム部２０１は、端末１００と連動する。
【００３０】
次に、実施の形態１に係る端末と通信機器の動作について説明する。
ユーザが、端末１００を操作して、例えば、ＳＮＳ(Social Networking Service)用のアプリであるアプリＡを起動した場合の動作について説明する。
【００３１】
先ず、端末１００の第三無線通信手段１１０ｃと通信機器２００のＬＡＮ側第三無線通信手段２１０ｃとが無線接続し、通信機器２００のＷＡＮ側無線通信手段としてＷＡＮ側第三無線通信手段２２０ｃが選択されて外部と接続している。この場合、第三無線通信手段１１０ｃ、ＬＡＮ側第三無線通信手段２１０ｃ及びＷＡＮ側第三無線通信手段２２０ｃの通信速度は速い。
【００３２】
このとき、端末１００の通信機器連動アプリケーション部１０１は、端末１００において起動しているアプリケーションを監視する。そして、ユーザが、例えば、アプリＡを起動して起動状態となった場合、通信機器連動アプリケーション部１０１は、アプリＡの通信トラフィックや通信速度を監視する。なお、通信トラフィックを通信量と呼ぶこともある。
【００３３】
アプリＡが、例えば、ＳＮＳ用のアプリの場合、通信機器連動アプリケーション部１０１は、アプリＡで必要とされる通信トラフィックや通信速度は低いと判断する。例えば、通信機器連動アプリケーション部１０１は、アプリケーションを動作させるために必要な通信速度が予め決められた下限閾値α１よりも低い場合、通信は低速通信であり、通信トラフィックは少ないと判断する。
【００３４】
通信機器連動アプリケーション部１０１は、アプリケーションと、そのアプリケーションを問題なく動作させるために必要な通信速度との対応関係から通信トラフィックの低い又は高いを判断してもよい。
【００３５】
通信機器連動アプリケーション部１０１は、通信は低速通信と判断した場合、複数の無線通信手段の中から低速通信に対応する無線通信手段である第一無線通信手段１１０ａを所望の無線通信手段として選択する。すなわち、通信機器連動アプリケーション部１０１は、端末１００の無線通信手段を、消費電力の低い第一無線通信手段１１０ａに切り替える。
【００３６】
また、通信機器連動システム部２０１は、通信機器連動アプリケーション部１０１と連動して通信機器２００の無線通信手段を消費電力の低いＬＡＮ側第一無線通信手段２１０ａに切り替える。また、通信機器連動システム部２０１は、通信機器２００のＷＡＮ側無線通信手段も消費電力の低いＷＡＮ側第一無線通信手段２２０ａに切り替える。
【００３７】
ここで、端末１００の通信機器連動アプリケーション部１０１は、アプリＡと、アプリＡが必要とする通信トラフィックが低いことと、アプリＡが起動した場合の無線通信手段が第一無線通信手段１１０ａであることを対応付けて保存しておく。すなわち、通信機器連動アプリケーション部１０１は、無線通信手段とアプリケーションと通信速度との関係を相互に対応付けて保存しておく。そして、アプリＡが再起動された場合、通信機器連動アプリケーション部１０１は、対応付けを参照し、消費電力の低い第一無線通信手段１１０ａとＬＡＮ側第一無線通信手段２１０ａとを選択し、それらを無線接続する。また、この場合においても、通信機器連動アプリケーション部１０１は、通信トラフィックの監視を行い、通信速度の変化に応じて無線通信手段を切り替える。
【００３８】
次に、ユーザが、例えば、動画視聴用のアプリであるアプリＢを起動した場合の動作について説明する。
【００３９】
ユーザが、動画視聴用のアプリＢを起動して起動状態となった場合、通信機器連動アプリケーション部１０１は、アプリＢで必要とされる通信トラフィックは多いと判断する。例えば、通信機器連動アプリケーション部１０１は、アプリケーションを動作させるために必要な通信速度が、予め決められた上限閾値α２よりも高い場合、通信は高速通信であり、通信トラフィックは多いと判断する。
【００４０】
通信機器連動アプリケーション部１０１は、通信は高速通信と判断した場合、複数の無線通信手段の中から高速通信に対応する無線通信手段である第三無線通信手段１１０ｃを所望の無線通信手段として選択する。すなわち、通信機器連動アプリケーション部１０１は、端末１００と通信機器２００との間の無線通信手段を通信速度が速い第三無線通信手段１１０ｃに切り替える。
【００４１】
また、通信機器連動システム部２０１は、通信機器連動アプリケーション部１０１と連動して通信機器２００のＬＡＮ側無線通信手段を通信速度が速いＬＡＮ側第三無線通信手段２１０ｃに切り替える。
【００４２】
また、通信機器連動システム部２０１は、通信機器２００のＷＡＮ側無線通信手段も通信速度が速いＷＡＮ側第三無線通信手段２２０ｃに切り替える。前述のアプリＡの場合と同様に、端末１００の通信機器連動アプリケーション部１０１は、アプリＢの通信トラフィックが多いことを記憶しておく。そして、アプリＢが再起動された場合にそれを参照する。
【００４３】
次に、ユーザが端末１００の使用を止めて、例えば、端末１００の画面がブラック画面になり、端末１００が休止状態に移行した場合の動作について説明する。
【００４４】
通信機器連動アプリケーション部１０１は、端末１００の動作状態を監視する。例えば、通信機器連動アプリケーション部１０１は、端末１００のアプリケーションの動作状態を監視する。通信機器連動アプリケーション部１０１は、アプリケーションの動作状態が休止状態の場合、複数の無線通信手段の中から最も通信速度の遅い無線通信手段である第一無線通信手段１１０ａを所望の無線通信手段として選択する。
【００４５】
端末１００の通信機器連動アプリケーション部１０１は、通信機器２００の通信機器連動システム部２０１に、休止状態に移行したとの旨を含む信号を送る。通信機器連動システム部２０１は、この信号を受け取ると、ＬＡＮ側無線通信手段を、最も消費電力が低いＬＡＮ側第一無線通信手段２１０ａに切り替えると共に、通信機器２００を休止状態に移行させる。
【００４６】
次に、ユーザが再び端末１００の使用を開始した場合の動作について説明する。
【００４７】
ユーザが再び端末１００の使用を開始して、例えば、端末１００のアプリケーションの動作状態が起動状態に移行した場合、通信機器連動アプリケーション部１０１は、複数の無線通信手段の中から現在の起動状態よりも１つ前の起動状態において設定された無線通信手段を所望の無線通信手段として選択する。
【００４８】
端末１００の通信機器連動アプリケーション部１０１は、第一無線通信手段１１０ａを経由して通信機器２００の通信機器連動システム部２０１に、休止復帰の信号を送る。通信機器連動システム部２０１は、この休止復帰の信号を受け取ると、通信機器２００を休止状態から起動状態へ移行させる。
【００４９】
実施の形態１においては、前述のアプリＡの例、及びアプリＢの例に示したように、通信機器連動アプリケーション部１０１は、端末１００において起動されたアプリケーションの通信トラフィックや通信速度を監視し、その通信トラフィックとアプリケーションとを対応付けて保存する。そして、通信機器連動アプリケーション部１０１は、ユーザが意識せずとも自動で、通信機器２００の通信機器連動システム部２０１と連動して、起動したアプリケーションに最適な通信手段を選択する。その結果、低消費電力化が可能な端末、通信システム、方法及びプログラムを提供することができる。また、端末と連動する通信機器の低消費電力化も行うことができる。
【００５０】
また、実施の形態１においては、例えば、端末１００が休止状態に移行したら、通信機器２００も同様に速やかに休止状態に移行させている。すなわち、通信機器連動アプリケーション部１０１は、端末１００と通信機器２００の動作状態を連動させる。これにより、端末１００と通信機器２００の低消費電力化をさらに行うことができる。
【００５１】
なお、実施の形態１においては、一例として、アプリ単位で通信トラフィックを監視して適切な通信手段との対応付けを行ったが、アプリ単位には限定しない。例えば、通信機器連動アプリケーション部１０１が、端末１００の通信の相手先のドメイン名、又はＩＰアドレス毎に通信トラフィックを監視して、通信手段を適切なものに切り替えてもよい。
【００５２】
［実施の形態２］
次に、実施の形態２に係る端末と通信機器の構成について説明する。
図３は、実施の形態２に係る端末と通信機器を例示するブロック図である。
【００５３】
図３に示すように、端末１００は、通信機器連動アプリケーション部１０１と、第一無線通信手段送受信部１１１と、第二無線通信手段送受信部１１２と、第三無線通信手段送受信部１１３と、ＳＮＳアプリ１５１と、動画アプリ１５２とを備える。
【００５４】
第一無線通信手段送受信部１１１は、第一無線通信手段１１０ａを有し、第二無線通信手段送受信部１１２は、第二無線通信手段１１０ｂを有し、第三無線通信手段送受信部１１３は、第三無線通信手段１１０ｃを有する。
【００５５】
通信機器２００は、通信機器連動システム部２０１と、ＬＡＮ側第一無線通信手段送受信部２１１、ＬＡＮ側第二無線通信手段送受信部２１２と、ＬＡＮ側第三無線通信手段送受信部２１３と、ＷＡＮ側第一無線通信手段送受信部２２１と、ＷＡＮ側第二無線通信手段送受信部２２２と、ＷＡＮ側第三無線通信手段送受信部２２３を備える。
【００５６】
ＬＡＮ側第一無線通信手段送受信部２１１は、ＬＡＮ側第一無線通信手段２１０ａを有し、ＬＡＮ側第二無線通信手段送受信部２１２は、ＬＡＮ側第二無線通信手段２１０ｂを有し、ＬＡＮ側第三無線通信手段送受信部２１３は、ＬＡＮ側第三無線通信手段２１０ｃを有する。
【００５７】
ＷＡＮ側第一無線通信手段送受信部２２１は、ＷＡＮ側第一無線通信手段２２０ａを有し、ＷＡＮ側第二無線通信手段送受信部２２２は、ＷＡＮ側第二無線通信手段２２０ｂを有し、ＷＡＮ側第三無線通信手段送受信部２２３は、ＷＡＮ側第三無線通信手段２２０ｃを有する。
【００５８】
端末１００は、例えば、スマートフォンやタブレット端末などの持ち歩き可能な情報端末である。通信機器２００は、例えば、モバイルルータなどの持ち歩き可能な通信を中継する機器である。
【００５９】
第一無線通信手段送受信部１１１及びＬＡＮ側第一無線通信手段送受信部２１１は、同じ規格の通信手段を有する。第一無線通信手段送受信部１１１及びＬＡＮ側第一無線通信手段送受信部２１１は、例えば、Ｂｌｕｅｔｏｏｔｈ（登録商標）  Ｌｏｗ  Ｅｎｅｒｇｙや無線ＬＡＮ  ＩＥＥＥ  ８０２．１１ａｈのようなＩｏＴ(Internet of Things)用であり、極めて低消費電力であり、且つ、通信速度が１Ｍｂｐｓ（メガビットパーセコンド）以下の低速な通信手段を有する。
【００６０】
第二無線通信手段送受信部１１２及びＬＡＮ側第二無線通信手段送受信部２１２は、同じ規格の通信手段である。第二無線通信手段送受信部１１２及びＬＡＮ側第二無線通信手段送受信部２１２は、例えば、Ｂｌｕｅｔｏｏｔｈ  ＨＳ(High Speed)のような消費電力は比較的低く、かつ、通信速度が数Ｍｂｐｓ〜数十Ｍｂｐｓ程度の中速な通信手段を有する。
【００６１】
第三無線通信手段送受信部１１３及びＬＡＮ側第三無線通信手段送受信部２１３は、同じ規格の通信手段である。第三無線通信手段送受信部１１３及びＬＡＮ側第三無線通信手段送受信部２１３は、無線ＬＡＮ  ＩＥＥＥ  ８０２．１１ａｃのような消費電力は高目であり、通信速度が２００Ｍｂｐｓ以上の高速の通信手段を有する。
【００６２】
ＷＡＮ側第一無線通信手段送受信部２２１は、例えば、３Ｇ回線のような低速の通信手段を有する。ＷＡＮ側第二無線通信手段送受信部２２２は、例えば、ＷｉＭＡＸ(Worldwide Interoperability for Microwave Access)のような中速の通信手段を有する。ＷＡＮ側第三無線通信手段送受信部２２３は、４Ｇ  ＬＴＥのような高速の通信手段を有する。
【００６３】
実施の形態２においては、ＳＮＳアプリ１５１の通信トラフィックは、低目と判断され、動画アプリ１５２の通信トラフィックは、高目と判断されるとしている。
【００６４】
次に、実施の形態２に係る端末と通信機器の動作について説明する。
【００６５】
一例として、端末１００と通信機器２００とが高速高消費電力で通信している状態から、端末１００においてＳＮＳアプリ１５１が起動され、低速で低消費電力な通信に移行する場合について説明する。
【００６６】
図４は、実施の形態２に係る端末と通信機器との間のシーケンス図である。
【００６７】
先ず、端末１００と通信機器２００とが、第三無線通信手段送受信部１１３及びＬＡＮ側第三無線通信手段送受信部２１３で接続し、通信機器２００のＷＡＮ側はＷＡＮ側第三無線通信手段送受信部２２３で接続し高速通信を行っている。
【００６８】
このとき、ユーザが端末１００上にてＳＮＳアプリ１５１を起動した場合、通信機器連動アプリケーション部１０１は、ＳＮＳアプリ１５１の通信トラフィックの監視を開始する（ステップＳ１０１）。
【００６９】
監視の結果、通信機器連動アプリケーション部１０１は、通信トラフィックが予め決められた下限閾値α１よりも低い場合、通信は低速通信と判断する（ステップＳ１０２）。
【００７０】
通信機器連動アプリケーション部１０１は、通信機器２００の通信機器連動システム部２０１に低速変更要求を送信する（ステップＳ１０３）。通信機器連動システム部２０１は、低速変更要求を受信したら、通信機器連動アプリケーション部１０１に対して低速変更応答を返す（ステップＳ１０４）。
【００７１】
通信機器連動アプリケーション部１０１は、低速変更応答が返ってきたら、第一無線通信手段送受信部１１１に起動要求を出す（ステップＳ１０５）。第一無線通信手段送受信部１１１は、起動要求を受けたら、第一無線通信手段送受信部１１１を起動して、通信機器連動アプリケーション部１０１に起動応答を返す（ステップＳ１０６）。
【００７２】
すなわち、通信機器連動アプリケーション部１０１は、通信で使用するアプリケーションであるＳＮＳアプリ１５１に基づいて、通信速度の異なる複数の無線通信手段である第一無線通信手段１１０ａ、第二無線通信手段１１０ｂ及び第三無線通信手段１１０ｃの中から所望の無線通信手段を選択する。なお、この例では、所望の無線通信手段は、第一無線通信手段である。
【００７３】
一方で、通信機器連動アプリケーション部１０１は、所望の無線通信手段と同一の無線通信手段を通信の相手方である通信機器２００の通信機器連動システム部２０１に対して、ステップＳ１０７〜ステップＳ１１０のようにして設定する。
【００７４】
通信機器２００の通信機器連動システム部２０１は、低速変更応答を返したら（ステップＳ１０４）、ＬＡＮ側第一無線通信手段送受信部２１１に起動要求を出す（ステップＳ１０７）。
【００７５】
ＬＡＮ側第一無線通信手段送受信部２１１は、起動要求を受けたら、ＬＡＮ側第一無線通信手段送受信部２１１を起動して、通信機器連動システム部２０１に起動応答を返す（ステップＳ１０８）。
【００７６】
通信機器連動システム部２０１は、ステップＳ１０７と並行して、ＷＡＮ側第一無線通信手段送受信部２２１にも起動要求を出す（ステップＳ１０９）。ＷＡＮ側第一無線通信手段送受信部２２１は、起動要求を受けたら、ＷＡＮ側第一無線通信手段送受信部２２１を起動してＷＡＮ接続を実施し、通信機器連動システム部２０１に起動応答を返す（ステップＳ１１０）。
【００７７】
通信機器連動システム部２０１は、ＷＡＮ側第一無線通信手段送受信部２２１からの起動応答を受けたら（ステップＳ１１０）、ＷＡＮ側第三無線通信手段送受信部２２３に停止要求を出す（ステップＳ１１３）。ＷＡＮ側第三無線通信手段送受信部２２３は、停止要求を受けたら、ＷＡＮ側第三無線通信手段送受信部２２３を停止して、通信機器連動システム部２０１に停止応答を返す（ステップＳ１１４）。
【００７８】
通信機器連動アプリケーション部１０１は、第一無線通信手段送受信部１１１からの起動応答を受けたら（ステップＳ１０６）、第一無線通信手段送受信部１１１に接続要求を出す（ステップＳ１１１）。
【００７９】
第一無線通信手段送受信部１１１は、接続要求を受けたら、通信機器２００のＬＡＮ側第一無線通信手段送受信部２１１との接続を実施し、通信機器連動アプリケーション部１０１に接続応答を返す（ステップＳ１１２）。
【００８０】
通信機器連動アプリケーション部１０１は、接続応答を受けたら、通信機器２００と本当に接続できたかの確認をするために、通信機器２００の通信機器連動システム部２０１に接続確認を送信する（ステップＳ１１５）。通信機器連動システム部２０１は、接続確認を受信したら、通信機器連動アプリケーション部１０１に接続確認応答を返信する（ステップＳ１１６）。
【００８１】
通信機器連動アプリケーション部１０１は、接続確認応答を受信したら、第三無線通信手段送受信部１１３に停止要求を出す（ステップＳ１１７）。第三無線通信手段送受信部１１３は、停止要求を受けたら、第三無線通信手段送受信部１１３を停止して、通信機器連動アプリケーション部１０１に停止応答を返す（ステップＳ１１８）。
【００８２】
一方で、通信機器２００の通信機器連動システム部２０１は、接続確認応答を返信したら（ステップＳ１１６）、ＬＡＮ側第三無線通信手段送受信部２１３に停止要求を出す（ステップＳ１１９）。ＬＡＮ側第三無線通信手段送受信部２１３は、停止要求を受けたら、ＬＡＮ側第三無線通信手段送受信部２１３を停止して、通信機器連動システム部２０１に停止応答を返す（ステップＳ１２０）。
【００８３】
次に、実施の形態２の別の一例として、端末１００と通信機器２００とが低速低消費電力で通信している状態から、端末１００において動画アプリ１５２が起動され、高速高消費電力な通信に移行する場合について説明する。
【００８４】
図５は、実施の形態２に係る端末と通信機器との間のシーケンス図である。
【００８５】
図５に示すように、端末１００と通信機器２００とは、第一無線通信手段送受信部１１１及びＬＡＮ側第一無線通信手段送受信部２１１で接続しており、通信機器２００のＷＡＮ側はＷＡＮ側第一無線通信手段送受信部２２１で接続して低消費電力な通信を行っている。
【００８６】
このとき、ユーザは端末１００上にて動画アプリ１５２を起動した場合、通信機器連動アプリケーション部１０１は、動画アプリ１５２の通信トラフィックの監視を開始する（ステップＳ２０１）。
【００８７】
監視の結果、通信機器連動アプリケーション部１０１は、通信トラフィックが予め決められた上限閾値α２よりも高い場合、通信は高速通信であると判断する（ステップＳ２０２）。
【００８８】
次に、通信機器連動アプリケーション部１０１は通信機器２００の通信機器連動システム部２０１に高速変更要求を送信する（ステップＳ２０３）。通信機器連動システム部２０１は高速変更要求を受信したら、通信機器連動アプリケーション部１０１に高速変更応答を返す（ステップＳ２０４）。
【００８９】
通信機器連動アプリケーション部１０１は、高速変更応答が返ってきたら、第三無線通信手段送受信部１１３に起動要求を出す（ステップＳ２０５）。第三無線通信手段送受信部１１３は、起動要求を受けたら、第三無線通信手段送受信部１１３を起動して、通信機器連動アプリケーション部１０１に起動応答を返す（ステップＳ２０６）。
【００９０】
一方で、通信機器２００の通信機器連動システム部２０１は、高速変更応答を返したら（ステップＳ２０４）、ＬＡＮ側第三無線通信手段送受信部２１３に起動要求を出す（ステップＳ２０７）。
【００９１】
ＬＡＮ側第三無線通信手段送受信部２１３は、起動要求を受けたら、ＬＡＮ側第三無線通信手段送受信部２１３を起動して、通信機器連動システム部２０１に起動応答を返す（ステップＳ２０８）。
【００９２】
ステップＳ２０７と並行して、通信機器連動システム部２０１は、ＷＡＮ側第三無線通信手段送受信部２２３に起動要求を出す（ステップＳ２０９）。ＷＡＮ側第三無線通信手段送受信部２２３は、起動要求を受けたら、ＷＡＮ側第三無線通信手段送受信部２２３を起動してＷＡＮ接続を実施し、通信機器連動システム部２０１へ起動応答を返す（ステップＳ２１０）。
【００９３】
通信機器連動システム部２０１は、ＷＡＮ側第三無線通信手段送受信部２２３からの起動応答を受けたら（ステップＳ２１０）、ＷＡＮ側第一無線通信手段送受信部２２１へ停止要求を出す（ステップＳ２１３）。ＷＡＮ側第一無線通信手段送受信部２２１は、停止要求を受けたら、ＷＡＮ側第一無線通信手段送受信部２２１を停止して、通信機器連動システム部２０１へ停止応答を返す（ステップＳ２１４）。
【００９４】
通信機器連動アプリケーション部１０１は、第三無線通信手段送受信部１１３からの起動応答を受けたら（ステップＳ２０６）、第三無線通信手段送受信部１１３に接続要求を出す（ステップＳ２１１）。第三無線通信手段送受信部１１３は、接続要求を受けたら、通信機器２００のＬＡＮ側第三無線通信手段送受信部２１３との接続を実施し、通信機器連動アプリケーション部１０１に接続応答を返す（ステップＳ２１２）。
【００９５】
通信機器連動アプリケーション部１０１は、接続応答を受けたら、通信機器２００と本当に接続できたかの確認をするために、通信機器２００の通信機器連動システム部２０１に接続確認を送信する（ステップＳ２１５）。通信機器連動システム部２０１は、接続確認を受信したら、通信機器連動アプリケーション部１０１に接続確認応答を返信する（ステップＳ２１６）。
【００９６】
通信機器連動アプリケーション部１０１は、接続確認応答を受信したら、第一無線通信手段送受信部１１１へ停止要求を出す（ステップＳ２１７）。第一無線通信手段送受信部１１１は、停止要求を受けたら、第一無線通信手段送受信部１１１を停止して、通信機器連動アプリケーション部１０１に停止応答を返す（ステップＳ２１８）。
【００９７】
一方で、通信機器２００の通信機器連動システム部２０１は、接続確認応答を返信したら（ステップＳ２１６）、ＬＡＮ側第一無線通信手段送受信部２１１に停止要求を出す（ステップＳ２１９）。ＬＡＮ側第一無線通信手段送受信部２１１は、停止要求を受けたら、ＬＡＮ側第一無線通信手段送受信部２１１を停止して、通信機器連動システム部２０１に停止応答を返す（ステップＳ２２０）。
【００９８】
次に、実施の形態２のさらに別の一例として、端末１００が休止状態に移行し、それに連動して通信機器２００も休止状態に移行し、その後、端末１００が起動状態に戻り、それに連動して通信機器２００も起動状態に戻る場合について説明する。
【００９９】
なお、端末１００において休止状態とは、例えば、ユーザが端末をしばらくの間操作せずに、端末１００の画面がブラック画面になるような状態のことである。また、通信機器において休止状態とは、通信機器のＣＰＵ(Central Processing Unit)が停止する状態や通信機器２００の中で必要最低限度の部分が動作する状態のことである。
【０１００】
図６は、実施の形態２に係る端末と通信機器との間のシーケンス図である。
【０１０１】
図６に示すように、端末１００と通信機器２００は第三無線通信手段送受信部１１３及びＬＡＮ側第三無線通信手段送受信部２１３で接続しており、通信機器２００のＷＡＮ側はＷＡＮ側第三無線通信手段送受信部２２３で接続して高速通信している。
【０１０２】
このとき、ユーザは何もせず通信も端末操作もしていない状態が一定時間継続して端末１００が休止状態（ブラック画面）に移行したとする。通信機器連動アプリケーション部１０１は、端末１００が休止状態に移行したことを検知したら（ステップＳ３０１）、通信機器２００の通信機器連動システム部２０１に休止移行通知を送信する（ステップＳ３０２）。
【０１０３】
次に、通信機器連動アプリケーション部１０１は、第一無線通信手段送受信部１１１に起動要求を出す（ステップＳ３０３）。第一無線通信手段送受信部１１１は、起動要求を受けたら、第一無線通信手段送受信部１１１を起動して、通信機器連動アプリケーション部１０１に起動応答を返す（ステップＳ３０４）。
【０１０４】
次に、通信機器連動アプリケーション部１０１は、第三無線通信手段送受信部１１３に停止要求を出す（ステップＳ３０５）。第三無線通信手段送受信部１１３は、停止要求を受けたら、第三無線通信手段送受信部１１３を停止して、通信機器連動アプリケーション部１０１に停止応答を返す（ステップＳ３０６）。
【０１０５】
一方で、通信機器２００の通信機器連動システム部２０１は、休止移行通知を受信したら（ステップＳ３０２）、ＬＡＮ側第一無線通信手段送受信部２１１へ起動要求を出す（ステップＳ３０７）。ＬＡＮ側第一無線通信手段送受信部２１１は、起動要求を受けたら、ＬＡＮ側第一無線通信手段送受信部２１１を起動して、通信機器連動システム部２０１に起動応答を返す（ステップＳ３０８）。
【０１０６】
次に、通信機器連動システム部２０１は、ＬＡＮ側第三無線通信手段送受信部２１３へ停止要求を出す（ステップＳ３０９）。ＬＡＮ側第三無線通信手段送受信部２１３は、停止要求を受けたら、ＬＡＮ側第三無線通信手段送受信部２１３を停止して、通信機器連動システム部２０１に停止応答を返す（ステップＳ３１０）。
【０１０７】
次に、通信機器連動システム部２０１は、ＷＡＮ側第三無線通信手段送受信部２２３に停止要求を出す（ステップＳ３１１）。ＷＡＮ側第三無線通信手段送受信部２２３は、停止要求を受けたら、ＷＡＮ側第三無線通信手段送受信部２２３を停止して、通信機器連動システム部２０１に停止応答を返す（ステップＳ３１２）。
【０１０８】
次に、通信機器連動システム部２０１は、通信機器２００を休止状態に移行する（ステップＳ３１３）。
【０１０９】
次に、ユーザが端末１００の操作を再開し、端末１００が休止状態から起動状態に移行したとする。
【０１１０】
このとき、通信機器連動アプリケーション部１０１は、端末１００が起動状態に移行したこと検知したら（ステップＳ４０１）、通信機器２００の通信機器連動システム部２０１に休止復帰通知を送信する（ステップＳ４０２）。
【０１１１】
次に、通信機器連動アプリケーション部１０１は、休止状態に入る直前に選択されていた無線通信手段を有する第三無線通信手段送受信部１１３に起動要求を出す（ステップＳ４０３）。第三無線通信手段送受信部１１３は、起動要求を受けたら、第三無線通信手段送受信部１１３を起動して、通信機器連動アプリケーション部１０１に起動応答を返す（ステップＳ４０４）。
【０１１２】
次に、通信機器連動アプリケーション部１０１は、第一無線通信手段送受信部１１１へ停止要求を出す（ステップＳ４０５）。第一無線通信手段送受信部１１１は、停止要求を受けたら、第一無線通信手段送受信部１１１を停止して、通信機器連動アプリケーション部１０１に停止応答を返す（ステップＳ４０６）。
【０１１３】
一方で、通信機器２００の通信機器連動システム部２０１は、休止復帰通知を受信したら（ステップＳ４０２）、通信機器２００を起動状態へ移行する（ステップＳ４０７）。
【０１１４】
次に、通信機器連動システム部２０１は、ＷＡＮ側第三無線通信手段送受信部２２３に起動要求を出す（ステップＳ４０８）。ＷＡＮ側第三無線通信手段送受信部２２３は、起動要求を受けたら、ＷＡＮ側第三無線通信手段送受信部２２３を起動して、通信機器連動システム部２０１に起動応答を返す（ステップＳ４０９）。
【０１１５】
ステップＳ４０８と並行して、通信機器連動システム部２０１は、ＬＡＮ側第三無線通信手段送受信部２１３に起動要求を出す（ステップＳ４１０）。ＬＡＮ側第三無線通信手段送受信部２１３は、起動要求を受けたら、ＬＡＮ側第三無線通信手段送受信部２１３を起動して、通信機器連動システム部２０１に起動応答を返す（ステップＳ４１１）。
【０１１６】
次に、通信機器連動システム部２０１は、ＬＡＮ側第一無線通信手段送受信部２１１に停止要求を出す（ステップＳ４１２）。ＬＡＮ側第一無線通信手段送受信部２１１は、停止要求を受けたら、ＬＡＮ側第一無線通信手段送受信部２１１を停止して、通信機器連動システム部２０１に停止応答を返す（ステップＳ４１３）。
【０１１７】
端末１００と通信機器２００との間は、第三無線通信手段送受信部１１３及びＬＡＮ側第三無線通信手段送受信部２１３で接続が確立し、通信機器２００のＷＡＮ側はＷＡＮ側第三無線通信手段送受信部２２３で接続が確立し、高速通信ができる状態に戻る。
【０１１８】
実施の形態２においては、端末の通信機器連動アプリケーションが通信トラフィックを監視し、通信トラフィックに基づいて、端末と通信機器とを接続する無線通信手段、及び、通信機器のＷＡＮ側の無線通信手段を選択する。その結果、端末と通信機器のそれぞれが、通信トラフィックに対して通信速度と消費電力とが最適な無線通信手段を選択することができる。
【０１１９】
また、実施の形態２においては、端末の通信機器連動アプリケーションは、アプリと無線通信手段とを対応付けた対応情報を記憶する。これにより、同一のアプリを再使用した場合、予め記憶された対応情報に基づいて最適な無線通信手段を選択し通信を行うことができる。同様に、端末の通信機器連動アプリケーションは、通信接続先と無線通信手段とを対応付けた対応情報を記憶する。これにより、同一の通信接続先に再接続した場合、予め記憶された対応情報に基づいて、最適な無線通信手段を選択し通信を行うことができる。
【０１２０】
また、実施の形態２においては、端末が休止状態に移行した場合、通信機器も同様に休止状態に移行させ、端末が起動状態に復帰した場合、通信機器も起動状態に復帰させる。これにより、ユーザが端末を使用せずに端末が休止状態に移行した場合には、端末の消費電力だけでなく通信機器の消費電力も低減させることができる。
【０１２１】
また、上記の実施の形態では、本発明をハードウェアの構成として説明したが、本発明はこれに限定されるものではない。本発明は、各構成要素の処理を、ＣＰＵ（Central Processing Unit）にコンピュータプログラムを実行させることにより実現することも可能である。
【０１２２】
上記の実施の形態において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実態のある記録媒体(trangible storage medium)を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programable ROM）、ＥＰＲＯＭ(Erasable PROM)）、フラッシュＲＯＭ、ＲＡＭ(Random Access Memory)を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１２３】
なお、本発明は上記実施の形態に限られたものではなく、趣旨を逸脱しない範囲で適宜変更することが可能である。
【符号の説明】
【０１２４】
１００…端末  １０１…通信機器連動アプリケーション部  １１０…通信部  １１０ａ〜１１０ｃ…第一〜第三無線通信手段  ２００…通信機器  ２０１…通信機器連動システム部  ２１０…ＬＡＮ側通信部  ２１０ａ〜２１０ｃ…ＬＡＮ側第一〜第三無線通信手段  ２２０…ＷＡＮ側通信部  ２２０ａ〜２２０ｃ…ＷＡＮ側第一〜第三無線通信手段  Ａ、Ｂ…アプリ  α１…下限閾値  α２…上限閾値
【図１】
2018042111.tif 000003
【図２】
2018042111.tif 000004
【図３】
2018042111.tif 000005
【図４】
2018042111.tif 000006
【図５】
2018042111.tif 000007
【図６】
2018042111.tif 000008